(57)【特許請求の範囲】
【請求項１】
撮像手段の光軸の傾きを検出する検出手段と、
自分撮りモードを含む複数の撮影モードのうち何れかの撮影モードに設定する設定手段と、
撮影モードが自分撮りモードに設定され、かつ前記検出手段での検出された前記光軸の傾きが水平よりも下向きの適正角度である場合に、通知を行う通知手段と
を有することを特徴とする撮像装置。
【請求項２】
前記適正角度は、所定の角度範囲内の角度であることを特徴とする請求項１に記載の撮像装置。
【請求項３】
前記通知手段は、前記撮影モードが自分撮りモードに設定されていない場合には、前記通知を行わないことを特徴とする請求項１又は２に記載の撮像装置。
【請求項４】
前記通知手段は、撮影モードが自分撮りモードに設定され、かつ前記光軸の傾きが前記適正角度となった場合に、適正角度であることの通知を行い、前記撮影モードが自分撮りモードに設定され、かつ前記光軸の傾きが前記適正角度でない場合に、前記適正角度でないことの通知を行うことを特徴とする請求項１乃至３何れか１項に記載の撮像装置。
【請求項５】
前記通知手段は、特定の表示情報を表示することにより前記通知を行うことを特徴とする請求項１乃至４何れか１項に記載の撮像装置。
【請求項６】
前記通知手段は、発光手段を発光させることにより前記通知を行うことを特徴とする請求項１乃至４何れか１項に記載の撮像装置。
【請求項７】
前記通知手段は、音声出力により前記通知を行うことを特徴とする請求項１乃至４何れか１項に記載の撮像装置。
【請求項８】
前記自分撮りモードに設定されている場合に、前記適正角度としての角度範囲内の基準角度を水平基準として表示するよう制御する表示制御手段をさらに有することを特徴とする請求項２に記載の撮像装置。
【請求項９】
前記表示制御手段は、前記自分撮りモード以外の撮影モードに設定されている場合に、水平方向を水平基準として表示するよう制御することを特徴とする請求項８に記載の撮像装置。
【請求項１０】
前記自分撮りモードに設定されている場合に、撮影画像に対し、美肌処理、背景ぼかし処理、通常より明るくする処理、目を大きくする処理のうち少なくとも１つの処理を行う画像処理手段をさらに有することを特徴とする請求項１乃至９何れか１項に記載の撮像装置。
【請求項１１】
前記自分撮りモードに設定されている場合に、ライブビューを鏡像表示するよう制御する表示制御手段をさらに有することを特徴とする請求項１に記載の撮像装置。
【請求項１２】
前記自分撮りモードに設定され、かつ前記光軸の傾きが前記適正角度となった場合に、撮影を行うよう制御する撮影制御手段をさらに有することを特徴とする請求項１乃至１１何れか１項に記載の撮像装置。
【請求項１３】
通話手段をさらに有することを特徴とする請求項１乃至１２何れか１項に記載の撮像装置。
【請求項１４】
前記設定手段は、ユーザにより前記自分撮りモードが選択された場合に、前記撮影モードを前記自分撮りモードに設定することを特徴とする請求項１乃至１３何れか１項に記載の撮像装置。
【請求項１５】
前記設定手段は、ユーザにより前記自分撮りモードが選択され、かつ前記撮像手段により得られた撮像画像において顔が検出された場合に、前記撮影モードを前記自分撮りモードに設定することを特徴とする請求項１３に記載の撮像装置。
【請求項１６】
ユーザから、前記適正角度の入力を受け付ける受付手段をさらに有することを特徴とする請求項１乃至１５何れか１項に記載の撮像装置。
【請求項１７】
撮像装置が実行する制御方法であって、
撮像手段の光軸の傾きを検出する検出ステップと、
自分撮りモードを含む複数の撮影モードのうち何れかの撮影モードに設定する設定ステップと、
撮影モードが自分撮りモードに設定され、かつ前記検出ステップでの検出された前記光軸の傾きが水平よりも下向きの適正角度である場合に、通知を行う通知ステップと
を含むことを特徴とする制御方法。
【請求項１８】
コンピュータを、請求項１乃至１６何れか１項に記載された撮像装置の各手段として機能させるためのプログラム。
【請求項１９】
コンピュータを、請求項１乃至１６何れか１項に記載された撮像装置の各手段として機能させるためのプログラムを格納したコンピュータが読み取り可能な記憶媒体。
【発明の詳細な説明】
【技術分野】
【０００１】
本発明は、撮像装置、制御方法及びプログラムに関する。
【背景技術】
【０００２】
従来、コンパクトデジタルカメラの普及や、スマートフォンへのデジタルカメラ機能搭載に伴い、一人で自分の顔を撮影するいわゆる「自分撮り」を行う人が増えてきている。自分自身をきれいに可愛く撮るためには、撮影時のフレーミング（いわゆる画角やアングル）の決定が重要な要素の一つではある。一般に自分自身をきれいに可愛く撮るためには、自分の目線よりも上にデジタルカメラを構え、下向き１０度前後の俯角を持たせ撮影することが一つのポイントと言われている。
【０００３】
デジタルカメラの姿勢に関し、特許文献１には、姿勢検出装置を用いデジタルカメラの姿勢を表示する電子デジタルカメラが開示されている。この電子デジタルカメラは、デジタルカメラが備える液晶モニタにデジタルカメラ自体の水平線を示す水平基準線と、姿勢検出装置から得られた角度データに応じて水平基準線に対する傾き角度が可変する水平撮影補助線を表示させる。撮影者は水平基準線と水平撮影補助線の差異を見ることでデジタルカメラの傾きを確認することができる。
【先行技術文献】
【特許文献】
【０００４】
【特許文献１】特開２００２−２７１６５４号公報
【発明の概要】
【発明が解決しようとする課題】
【０００５】
しかしながら、一人で撮影するにはフレーミングは難しく、ユーザが簡単な操作で、適切なアングルで撮影を行うことができないといった課題がある。
【０００６】
本発明はこのような問題点に鑑みなされたもので、簡単な操作で適切なアングルでの撮影を可能とすることを目的とする。
【課題を解決するための手段】
【０００７】
そこで、本発明は、撮像装置であって、撮像手段の光軸の傾きを検出する検出手段と、自分撮りモードを含む複数の撮影モードのうち何れかの撮影モードに設定する設定手段と、撮影モードが自分撮りモードに設定され、かつ前記検出手段で検出された前記光軸の傾きが水平よりも下向きの適正角度である場合に、通知を行う通知手段とを有することを特徴とする。
【発明の効果】
【０００８】
本発明によれば、簡単な操作で適切なアングルでの撮影を可能とすることができる。
【図面の簡単な説明】
【０００９】
【図１】デジタルカメラの外観図である。
【図２】デジタルカメラのハードウェア構成を示す図である。
【図３】表示部の位置の説明図である。
【図４】水準器の表示例を示す図である。
【図５】通知制御処理を示すフローチャートである。
【図６】Ｓ５０５の処理の説明図である。
【図７】デジタルカメラを横から見た図である。
【図８】第２の実施形態に係る通知制御処理を示すフローチャートである。
【図９】スマートフォンを示す図である。
【図１０】スマートフォンのハードウェア構成を示す図である。
【図１１】第３の実施形態に係る通知制御処理を示すフローチャートである。
【発明を実施するための形態】
【００１０】
以下、本発明の実施形態について図面に基づいて説明する。
【００１１】
（第１の実施形態）
図１は、撮像装置の一例としてのデジタルカメラ１００の外観図である。図１（ａ）は、デジタルカメラ１００の背面斜視図であり、図１（ｂ）は、デジタルカメラ１００の前面斜視図である。表示部２８は、画像や各種情報を表示する表示部である。表示部２８は、デジタルカメラ１００の前面側に設けられている。また、レンズ１０３は、デジタルカメラ１００の背面側に設けられている。表示部２８は、可動式に設けられている。表示部２８の位置については図３を参照しつつ後に詳述する。
【００１２】
シャッターボタン６１は、撮影指示を行うための操作部である。モード切替スイッチ６０は、各種モードを切り替えるための操作部である。電源スイッチ７２は、の電源のＯＮ及びＯＦＦを切り替える操作部材である。十字キー７４は、操作部７０に含まれ、上、下、左、右部分をそれぞれ押し込み可能な十字キーである。十字キー７４の押した部分に応じた操作が可能である。ＭＥＮＵボタン７６は、操作部７０に含まれ、押しボタンであり、主に機能設定項目の表示、あるいは項目を切り替えること等に用いられる。ＳＥＴボタン７５は、操作部７０に含まれ、押しボタンであり、主に選択項目の決定等に用いられる。
【００１３】
記録媒体２００は、撮像画像を記録するメモリで、下部から本体内に挿入することにより電気的に接続される。フラッシュ８１は、撮影時に用いる補助光を発光する投光部である。スピーカ８２は、撮影時や操作ボタンの操作時に音声を出力することにより操作者に通知する音声出力部である。表示ランプ８３は、セルフタイマー動作時等に光の点滅等によりデジタルカメラ１００の動作を撮影者に通知する表示部である。
【００１４】
図２は、デジタルカメラ１００のハードウェア構成を示す図である。レンズ１０３は、通常、複数枚のレンズから構成されるが、ここでは簡略して一枚のレンズのみで示している。撮像部２１は、光学像を電気信号に変換するＣＣＤやＣＭＯＳ素子等で構成される撮像素子である。シャッター１０１は、撮影時に露光量を制御するシャッター機構である。画像処理部２４は、撮像部２１からのデータ、又は、メモリ制御部１５からのデータに対し所定の画素補間、縮小、反転といったリサイズ処理や色変換処理を行う。また、画像処理部２４は、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４は更に、撮像した画像データを用いて所定の演算処理を行い、得られた演算結果に基づいてＴＴＬ方式のＡＷＢ（オートホワイトバランス）処理も行っている。
【００１５】
撮像部２１からの出力データは、画像処理部２４及びメモリ制御部１５を介して、或いは、メモリ制御部１５を介してメモリ３２に直接書き込まれる。メモリ３２は、撮像部２１によって得られた画像データや、表示部２８に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。メモリ３２に格納されている画像表示用のデータは表示部２８に供給される。よって、メモリ３２に書き込まれた表示用の画像データは表示部２８により表示することができる。表示部２８は、ＬＣＤ等の表示器上に表示を行う。撮像部２１より得られる画像信号をメモリ３２に蓄積し表示部２８に逐次転送することにより表示することで、電子ビューファインダとして機能し、スルー画像表示（ライブビュー表示）を行える。
【００１６】
表示信号生成部３１１は、表示に用いるアイコン等のキャラクタデータ画像をあらかじめ備えている。表示信号生成部３１１に備える表示用キャラクタデータ画像をメモリ３２に書き込むことにより、表示部２８にキャラクタデータ画像を表示することができる。不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１７】
システム制御部５０は、例えばＣＰＵ等であり、全体を制御する。５２はシステムメモリであり、ＲＡＭが用いられる。システムメモリ５２には、システム制御部５０の動作用の定数、変数、不揮発性メモリ５６から読み出したプログラム等を展開する。なお、後述するデジタルカメラ１００の機能や処理は、システム制御部５０が不揮発性メモリ５６等に格納されているプログラムを読み出し、このプログラムを実行することにより実現されるものである。また、システム制御部５０は、メモリ３２、表示部２８、表示信号生成部３１１等を制御することにより表示制御も行う。システムタイマー５３は、各種制御に用いる時間や、内蔵された時計の時間を計測する計時部である。
【００１８】
モード切替スイッチ６０、第１シャッタースイッチ６２、第２シャッタースイッチ６４、操作部７０は、システム制御部５０に各種の動作指示を入力するための操作手段である。モード切替スイッチ６０は、システム制御部５０の動作モードを静止画記録モード、動画記録モード、再生モード等のいずれかに切り替えて設定する（設定処理）。静止画記録モードに含まれるモードとして、オート撮影モード、マニュアルモード、絞り優先モード（Ａｖモード）、シャッター速度優先モード（Ｔｖモード）、プログラムＡＥモード、自分撮りモード等がある。静止画記録モードに含まれるモードとしては、他にも撮影シーン別の撮影設定となる各種シーンモードが挙げられる。
【００１９】
モード切替スイッチ６０で、静止画撮影モードに含まれるこれらのモードのいずれかに直接切り替えられる。また、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２０】
シャッターボタン６１は、操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２１】
操作部７０の各操作部材は、表示部２８に表示される種々の機能アイコンを選択操作すること等により、場面毎に適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、ＭＥＮＵボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。操作部７０は、ユーザからの操作を受け付ける入力部としての各種操作部材である。操作部７０には、シャッターボタン６１、電源スイッチ７２、十字キー７４、ＳＥＴボタン７５、ＭＥＮＵボタン７６、モード切替スイッチ６０が含まれる。
【００２２】
フラッシュ８１は撮影時に発光する撮影補助光である。フラッシュ８１の発光制御はシステム制御部５０にて行われ、例えばＡＥ動作にて撮影を行う場合には被写体の明るさに応じ画撮影時に発光する。８３は表示ランプで、セルフタイマー撮影実行中にランプの点滅等により撮影者に通知を行う。
【００２３】
スピーカ８２はシャッターボタン６１の操作による撮影がおこなわれた際に、ユーザに撮影を行ったことを通知する撮影音を出力する。また、操作部７０の操作が行われた際にボタン操作を受け付けたことを音声にて通知する。セルフタイマー撮影実行中においても断続的なビープ音等にて通知を行う。音声生成部３０２は通知する音声データを備え、システム制御部５０からの制御により選択された通知する音声を用いスピーカ８２を駆動する。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２５】
加速度センサ３０１はデジタルカメラ１００に加わる加速度を検知する加速度検出部である。加速度センサ３０１に加わる重力加速度を検出することによりデジタルカメラ１００の縦撮り、横撮りを検出し、撮像画像に縦横検出値メタデータとして付加し記録媒体２００に記録する。再生時には記録された縦横検出値メタデータを用い、例えば縦撮り撮影された画像が正位置となるように９０度回転表示することにより、撮像画の閲覧がおこないやすくなる。また、加速度センサ３０１は重力加速度を検出することによって、デジタルカメラ１００の光軸方向の傾きを求めることが可能であるため、デジタルカメラ１００の水準を検出し、表示部２８に表示することもできる。
【００２６】
記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２７】
図３は、デジタルカメラ１００の表示部２８の位置の説明図である。図３の各図は、デジタルカメラ１００を横から見た図である。図１に示す状態において、表示部２８は、デジタルカメラ１００の背面に接した状態である。図３（ａ）は、この状態の表示部２８を示す図である。図３（ｂ）は、表示部２８の下部をチルトし傾けた状態を示す図である。デジタルカメラ１００の外装筐体１と表示部２８は、アーム１１１で機械的及び電気的に接続されている。アーム１１１は折り曲げ方向に可動な部位を持ち、表示部２８及び外装筐体１との接続部分も同様に可動となっている。デジタルカメラ１１０を撮影者の目線より低い位置に構えて撮影を行う場合には、図３（ｂ）のように表示部２８を上向きに傾けることで、ユーザは表示部２８を視認し易くなる。
【００２８】
図３（ｃ）は、表示部２８を１８０度以上回転された状態を示す図である。被写体としての人物が撮像画像を確認する場合には、図３（ｃ）のように表示部２８を被写体としての人物側に向ければよい。例えば、自分撮りモードにおいて、撮影者が自分を撮影する場合に有効である。ここで、自分撮りモードとは、撮影者が撮影者自身を撮影する撮影モードである。ユーザがモード切替スイッチ６０の操作により撮影モードを自分撮りモードを選択した場合に、自分撮りモードに設定される。デジタルカメラ１００はさらに、自分撮りモードにおいて、表示部２８に表示する撮像画及びアイコン等のキャラクターを上下反転させ、さらにアイコン等のキャラクターの左右反転を行うことにより（鏡面表示処理）。これにより、撮影時のフレーミングを容易にすることができる。
【００２９】
図４は、撮影補助のための水準器の表示例を示す図である。図４（ａ）に示すように、表示部２８には、デジタルカメラ１００により撮影された、被写体４００のライブ映像（ライブビュー）が表示される。さらに、ライブ映像上に、デジタルカメラ１００の仰角・俯角を示すための水準基準線４１１及び水準基準線目盛り４１２〜４１５が表示されている。また、現在のデジタルカメラ１００の仰角・俯角を表示する水準指示線４２０をデジタルカメラ１００の傾きに応じた位置に表示する。
【００３０】
デジタルカメラ１００の鉛直方向の傾きは加速度センサ３０１により検出され、検出信号はシステム制御部５０に送られる。システム制御部５０は、検出されたデジタルカメラ１００の鉛直方向からの傾き量に応じ、水準基準線４１１に対する水準指示線４２０の表示位置を決定する。システム制御部５０にて決定された水準指示線４２０の表示位置情報は、表示信号生成部３１1に入力され、水準基準線４１１及び水準基準線目盛り４１２〜４１５と合わせて生成され、表示部２８に表示される。なお、水準指示線４２０、水準基準線４１１及び水準基準線目盛り４１２〜４１５は、表示部２８に表示させる信号のみに撮像画像に重畳され送られ、記録媒体２００に記録される撮像画には重畳されない。
【００３１】
加速度センサ３０１は、デジタルカメラ１００の外装筐体１内部に固定され、加速度の検出方向となる検出軸は撮像部２１の水平画素配列方向を回転中心としを回転させたときの重力方向変化を検出可能な向きに固定されている。また、加速度センサ３０１の仰角・俯角検出値は、レンズ１０３を鉛直方向に対し直行するようデジタルカメラ１００を水平に構えた際に０度となるものとする。デジタルカメラ１００のチルト方向の姿勢の傾きをデジタルカメラ１００の傾きと称することとする。また、本実施形態において、デジタルカメラ１００の傾きは、撮像部としてレンズ１０３の光軸の傾きと等しいものとする。すなわち、デジタルカメラ１００の傾きは、撮像部の光軸の傾きの一例である。
【００３２】
図４（ｂ）は、デジタルカメラ１００の光軸を仰角０度すなわち加速度センサ３０１の出力が０度となるようにデジタルカメラ１００の傾きを合わせた状態の表示部２８の表示例を示している。デジタルカメラ１００の傾きを仰角０度に合わせた場合には、水準指示線４２０は水準基準線４１１に重なる位置となる。
【００３３】
水準指示線４２０は、デジタルカメラ１００に仰角が生じるとその角度に応じて矢印４２１の方向である水準基準線４１１の上側に移動する。また、水準指示線４２０は、反対にデジタルカメラ１００に俯角が生じるとその角度に応じて矢印４２２の方向である水準基準線４１１の下側に移動する。水準基準線目盛り４１２〜４１５は、水準基準線４１１からの角度ずれを読み取るために設けた角度目盛りで、例えば５度刻みで設けられている。デジタルカメラ１００の俯角が生じた場合には、図４（ａ）に示すように、水準指示線４２０が水準基準線４１１の下側に表示される。また、デジタルカメラ１００に仰角が生じた場合には、図４（ｃ）に示すように、水準指示線４２０が水準基準線４１１の上側に表示される。
【００３４】
なお、本実施形態においては、水準器として、水準指示線４２０、水準基準線４１１及び水準基準線目盛り４１２〜４１５を表示することとしたが、水準器の表示形態は、実施形態に限定されるものではない。
【００３５】
図５は、システム制御部５０による、通知制御処理を示すフローチャートである。このフローチャートにおける各処理は、システム制御部５０が不揮発性メモリ５６に格納されたプログラムをシステムメモリ５２に展開して実行することにより実現される。なお、通知制御処理は、システムタイマー５３により発生する動作周期に応じて、繰り返し行われる。動作周期は、例えば撮像画像を撮像部２１から読み出し、表示部２８にて表示される撮像画像が更新される周期である。
【００３６】
Ｓ５０１において、システム制御部５０は、モード切替スイッチ６０により撮影モードが前回の本処理が行われた時点から切り替えられているか否かを判定する。ユーザによりモード切替スイッチ６０が自分撮りモードに切り替えられると、モード切替スイッチ６０の切り替え信号がシステム制御部５０に入力される。システム制御部５０は、切り替え信号に基づいて、撮影モードの切り替えの有無を判定する。システム制御部５０は、撮影モードが切り替えられている場合には（Ｓ５０１でＹｅｓ）、処理をＳ５０２へ進める。システム制御部５０は、撮影モードが切り替えられていない場合には（Ｓ５０１でＮｏ）、処理をＳ５１１へ進める。
【００３７】
Ｓ５０２において、システム制御部５０は、撮影モードが自分撮りモードに設定されているか否かを判定する。システム制御部５０は、自分撮りモードに設定されている場合には（Ｓ５０２でＹｅｓ）、処理をＳ５０３へ進める。システム制御部５０は、自分撮りモードに設定されていない場合には（Ｓ５０２でＮｏ）、処理をＳ５０６へ進める。Ｓ５０３において、システム制御部５０は、撮像された画像を表示部２８へ表示させる際の表示を上下、及び左右反転させるため、メモリ制御部１５の画像書き込み及び読み出しを制御する。画像の反転は画像を構成する画素の座標を変換することにより可能で、メモリ３２への書き込みまたは読み出しアドレスを入れ替えることで実現できる。
【００３８】
Ｓ５０４において、システム制御部５０は、表示部２８に表示する水準基準線４１１の表示位置にオフセットを加え、水準器の表示における水平基準を変更する。具体的には、システム制御部５０は、仰角０度を検出した際に仰角１０度の表示となるようにオフセットを加える。これにより、デジタルカメラ１００の光軸が俯角１０度となった場合に、水準指示線４２０と水準基準線４１１が重なるようになる。このように、システム制御部５０は、自分撮りモードでは、デジタルカメラ１００の傾きが水平よりも下向きの所定の角度になった場合に、水準指示線４２０と水準基準線４１１が重なるようにオフセットを加える。ここで、俯角１０度は、自分撮りに好適な角度であり、基準角度と称する。
【００３９】
次に、Ｓ５０５において、システム制御部５０は、水準器を表示部２８に表示するよう制御する。図６は、Ｓ５０５の処理の説明図である。図６（ａ），（ｂ）は、いずれも自分撮りモードに設定されている場合の、水準器の表示例を示す図である。システム制御部５０は、メモリ制御部１５を制御して、表示に用いる撮像画像に反転処理を施すと共に、表示信号生成部３１１から自分撮りモードであることを示す表示アイコン６００を表示する。自分撮りモードにおいては、水準基準線４１１の表示位置にオフセットが加えられている。このため、デジタルカメラ１００の傾きが俯角１０度となった場合に、水準指示線４２０と水準基準線４１１が重なる。なお、ＯＫアイコン６０１及びＮＧアイコン６０２については後述する。
【００４０】
次に、Ｓ５０６において、システム制御部５０は、通知処理を開始する。ここで、通知処理とは、デジタルカメラ１００の角度が適正角度である場合に、自分撮りに好適な姿勢になったことを表す通知を行う処理である。ここで、適正角度とは、基準角度を含む所定の角度範囲内の角度である。本実施形態においては、適正角度は、基準角度（俯角１０度）を中心値とする俯角１０度±１度の角度範囲内の角度とする。
【００４１】
なお、基準角度及び適正角度は、比較データとして予め不揮発性メモリ５６に設定されているものとする。さらに、システム制御部５０は、ユーザから、基準角度及び適正角度の設定指示及び変更指示を受け付け（受付処理）、各指示に応じて基準角度及び適正角度を設定、変更することができるものとする。また、本実施形態においては、適正角度は１つの角度ではなく、所定の角度範囲内の値であるものとするが、適正角度は１つの角度であってもよい。例えば、適正角度は基準角度であってもよい。システム制御部５０は、Ｓ５０６の処理の後、処理をＳ５１０へ進める。
【００４２】
Ｓ５０７において、システム制御部５０は、撮像された画像を表示部２８へ表示させる際に、反転表示を行わない通常の表示方向となるよう、メモリ制御部１５の画像書き込み及び読み出しを制御する。次に、Ｓ５０８において、システム制御部５０は表示部２８に表示する水準基準線４１１の表示位置に加えるオフセットを０にする。これにより、デジタルカメラ１００の光軸が水平位置を取ることにより水準指示線４２０と水準基準線４１１が重なるようになる。次に、Ｓ５０９において、システム制御部５０は、水準器を表示部２８に表示するよう制御する。なお、Ｓ５０９において表示される水準器は、図４に示す通りである。なお、他の例としては、自分撮りモード以外の撮影モードにおいては、水準器の表示を行わなくともよい。次に、Ｓ５１０において、システム制御部５０は、通知処理を終了し、その後処理をＳ５１１へ進める。
【００４３】
Ｓ５１１において、システム制御部５０は、加速度センサ３０１からデジタルカメラ１００の鉛直方向に対する傾きを示す傾き情報を取得する（取得処理）。次に、Ｓ５１２において、システム制御部５０は、表示部２８に表示する傾き量をＳ５１１で取得した傾き情報に示される値に更新する。次に、Ｓ５１３において、システム制御部５０は、通知処理が開始されているか否かを判定する。システム制御部５０は、通知処理が開始されている場合、すなわち通知処理中である場合には（Ｓ５１３でＹｅｓ）、処理をＳ５１４へ進める。システム制御部５０は、通知処理中でない場合には（Ｓ５１３でＮｏ）、通知制御処理を終了する。
【００４４】
Ｓ５１４において、システム制御部５０は、デジタルカメラ１００の傾きが適正角度か否かを判定する（判定処理）。システム制御部５０は、デジタルカメラ１００の傾きが適正角度である場合には（Ｓ５１４でＹｅｓ）、処理をＳ５１５へ進める。システム制御部５０は、デジタルカメラ１００の傾きが適正角度でない場合には（Ｓ５１４でＮｏ）、処理をＳ５１６へ進める。Ｓ５１５において、システム制御部５０は、デジタルカメラ１００の傾きが適正角度であることをユーザに通知する。具体的には、システム制御部５０は、図６（ａ）に示すように、表示部２８に適正角度であることを示すＯＫアイコン６０１を表示するよう制御する。ＯＫアイコン６０１の表示は、デジタルカメラ１００の傾きが水平よりも下向きの所定の角度（本実施形態では俯角１０度、すなわち水平より下向きに１０度）となった場合に、表示される、自分撮りに好適な姿勢になったことを表す通知である。すなわち、ＯＫアイコン６０１は、特定の表示情報の一例である。
【００４５】
Ｓ５１６において、システム制御部５０は、デジタルカメラ１００の傾きが適正角度でないことをユーザに通知する。具体的には、システム制御部５０は、図６（ｂ）に示すように、表示部２８に適正角度でないことを示すＮＧアイコン６０２を表示するよう制御する。なお、システム制御部５０は、Ｓ５１５におけるＯＫアイコン６０１及びＳ５１６におけりＮＧアイコン６０２の表示は、自分撮りモード以外の撮影モードに設定されている場合には行わないように制御する。ここで、Ｓ５１５、Ｓ５１６の処理は、通知処理の一例である。
【００４６】
なお、デジタルカメラ１００の傾きが適正角度であることの通知方法は、ＯＫアイコン６０１の表示に限定されるものではない。システム制御部５０は、例えば、表示部２８の全面又は一部の色や輝度を変化させることにより通知を行ってもよい。また、システム制御部５０は、スピーカ８２を用いた音声出力により通知を行ってもよい。システム制御部５０は、例えば、特定の音を出力することにより、傾きが適正角度であることを通知してもよい。また、他の例としては、システム制御部５０は、表示ランプ８３を発光させることにより通知を行ってもよい。
【００４７】
また、Ｓ５１３において、通知処理中でないと判定された場合には、システム制御部５０は、水準器を表示するよう制御するのに加え、さらに、デジタルカメラ１００の傾きが水平方向に一致した場合に、水平であることを通知してもよい。システム制御部５０は、例えば、水平である場合に、水準指示線４２０と水準基準線４１１が重なると同時に、重なっていない場合と異なる色で表示するよう制御してもよい。
【００４８】
図５に示す通知制御処理を行っている間にも、ユーザは、任意のタイミングでシャッターボタン６１を押下して撮影指示を行うことができる。自分撮りモードでは、ＯＫアイコン６０１が表示されている状態でシャッターボタン６１を全押しして撮影することで、自分撮りに適したアングルでの撮影を行うことができる。すなわち、顔を写す場合であれば、デジタルカメラ１００の傾きが下向き１０度程度で、かつ、表示部２８に表示されたライブビューに自分の顔が収まるように撮影するため、デジタルカメラ１００は被写体（＝撮影者）の目線よりやや上から下向きに構えられる。従って目線をやや上向きをしたポーズで撮影され、自分撮り写真として好ましい画像を得ることができる。自分撮り撮影での撮影指示は、シャッターボタン６１の押下によるものだけではなく、リモコン（遠隔操作装置）による撮影指示で撮影してもよいことは言うまでも無い。自分撮り棒等にデジタルカメラ１００を装着し、自分撮り棒に備えられたリモコンスイッチや、他のリモコン装置に備えられたスイッチの押下による撮影指示に応じて撮影を実行する際にも、本発明は好適である。また、ウインクの検出や、手を振ったことの検出に応じて自動的に撮影するようにしてもよい。
【００４９】
システム制御部５０は、自分撮りモードにおいて、Ｓ５１４においてデジタルカメラ１００の傾きが撮影する際に許容できる傾きに収まっていると判定した場合に、ユーザからの撮影指示がなくとも、自動的に撮影するよう制御してもよい（撮影制御処理）。この場合、自分撮りモード時には、デジタルカメラ１００の傾きが適正角度でない場合には、シャッターボタンが押下されても撮影は開始されない。したがって、誤った撮影を回避することができる。また、反対にシャッターボタンを押下したままとすると、デジタルカメラ１００の傾きが適正角度となった場合に撮影が行われることとなる。このように、撮影操作を容易にすることができる。
【００５０】
また、デジタルカメラ１００は、自分撮りモードでは、撮像された画像に対して特定の画像処理を施した静止画、動画を画像ファイルとして記録することも可能である。デジタルカメラ１００は、例えば撮像された画像から検出した主顔に対して、美肌処理、背景ぼかし処理、通常より明るくする明るさ処理、目を大きくする処理等の画像処理を行ってもよい。
【００５１】
美肌処理とは、撮影者（被写体）自身の顔に、設定された美肌の強さに応じて、肌をなめらかにして、肌をよりきれいにみえるようにする処理である。美肌処理では、顔を検出すると目、鼻、口が含まれる範囲を検出し、検出した範囲の中のＹＵＶの値を取得する。算出したＹを低活化することで肌領域が平滑化され、しわ等を目立たなくする（しわ等の凸凹をぼかす）ことができる。また、ＵＶの値を平均化し、平均化した色で肌部分を塗るようにすることで肌の色ムラが小さくなる。明るさ処理は、通常の設定よりも明るめの画像を得るために明るさを調整する処理である。また、背景ぼかし処理は、人物の顔が引き立つように背景をぼかす処理である。目を大きくする処理は、検出した主顔の目を大きくする処理である。なお、これらの画像処理は、画像処理部２４が行うこととするが、他の例としては、システム制御部５０が行ってもよい。
【００５２】
以上のように、本実施形態に係るデジタルカメラ１００は、自分撮りモードに設定され、かつデジタルカメラ１００の傾きが所定の俯角である場合に、通知を行う。したがって、ユーザは、この通知を頼りに、簡単な操作で適切なアングルで撮影を行うことができる。
【００５３】
（第２の実施形態）
次に、第２の実施形態に係るデジタルカメラ１１０について説明する。第１の実施形態において図３を参照しつつ説明したように表示部２８をレンズ１０３側まで回転させることにより、撮影される人物に対して撮像画像を確認する自分撮りの目的で用いることができる。図７は、デジタルカメラ１１０を横から見た図である。図７に示す表示部２８は、自分撮りが可能な位置まで回転している。なお、自分撮りが可能な表示部２８の位置を自分撮り位置と称することとする。デジタルカメラ１１０は、第１の実施形態に係るデジタルカメラ１００の構成に加え、マグネット１２１と、磁気スイッチ１２２と、を有している。マグネット１２１は、表示部２８に隣接して設けられた位置検出用の磁石である。磁気スイッチ１２２は、デジタルカメラ１１０の外装筐体１に固定されている位置検出用の磁気検出スイッチである。マグネット１２１及び磁気スイッチ１２２は、表示部２８が自分撮り位置に位置する場合に、最も近接するように配置されている。
【００５４】
磁気スイッチ１２２は所定量以上の磁束を検出すると電気的な出力論理を反転させるもので、マグネット１２１が最も近接したことを検出可能である。すなわち、デジタルカメラ１１０は、磁気スイッチ１２２とマグネット１２１が最も近接したことを検出したことにより、表示部２８が自分撮り位置に位置していることを検出することができる。
【００５５】
図８は、第２の実施形態に係るシステム制御部５０による、通知制御処理を示すフローチャートである。Ｓ８０１において、システム制御部５０は、表示部２８の位置が自分撮り位置か否かを判定する。システム制御部５０は、自分撮り位置である場合には（Ｓ８０１でＹｅｓ）、処理をＳ８０２へ進める。システム制御部５０は、自分撮り位置でない場合には（Ｓ８０１でＮｏ）、処理をＳ５０７へ進める。Ｓ８０２において、システム制御部５０は、撮影モードを自分撮りモードに設定する。その後、処理をＳ５０２へ進める。なお、デジタルカメラ１１０のこれ以外の構成及び処理は、第１の実施形態において説明したデジタルカメラ１００の構成及び処理と同様である。
【００５６】
このように、本実施形態に係るデジタルカメラ１１０は、ユーザが撮影モードを切り替えるための操作を行わなくとも表示部２８を移動させることで自動的に撮影モードを自分撮りモードに設定することができる。
【００５７】
なお、本実施形態において撮像部２１と表示部２８の位置関係をマグネット１２１及び磁気スイッチ１２２を用いた形態で説明しているが、検出機構は他のポジションスイッチの位置検出素子等でもよい。
【００５８】
（第３の実施形態）
次に、第３の実施形態について説明する。本実施形態においては、撮像部を備えるＰＤＡやスマートフォン等の携帯機器について説明する。図９は、第３の実施形態に係る撮像装置の一例としてのスマートフォン９００を示す図である。図９（ａ）は、スマートフォン９００の正面図であり、図９（ｂ）は、スマートフォン９００の背面図である。表示部２８は画像や各種情報を表示する。操作部７０はタッチパネルでありでユーザ操作を受け付けるための入力デバイスである。なお、タッチパネルは、表示部２８に重ね合わせて平面的に構成され、ユーザ操作により接触された位置に応じた座標情報が出力されるようにした入力デバイスである。
【００５９】
シャッターボタン６１は、撮影指示を行うための操作部である。モード切替スイッチ６０は各種モードを切り替えるための操作部である。カメラ選択スイッチ６９は、複数備えるカメラの撮像画像のうちのいずれを撮影用カメラ画像として選択するかを切り替える操作部である。なおシャッターボタン６１、モード切替スイッチ６０、カメラ選択スイッチ６９は操作部７０に含まれる。
【００６０】
電源スイッチ７２は、スマートフォン９００の電源のＯＮ及びＯＦＦを切り替える操作部材である。スピーカ８２は通話の際に音声を出力する。また、タッチパネルの操作に応じ操作音声を出力することにより操作者に通知する音声出力部である。マイク８４は、通話の際に音声を入力する。対面カメラ１２は、スマートフォン９００の表示部２８と同一面の背面に設けられている撮影用カメラである。フロントカメラ１３は、対面カメラ１２とは異なる側に設けられている撮影用カメラである。対面カメラ１２とフロントカメラ１３の構成に違いはなく、異なる部分はレンズの焦点距離や、撮像部の画素数等である。
【００６１】
図１０は、スマートフォン９００のハードウェア構成を示す図である。レンズ１０３、１０４は通常、複数枚のレンズから構成されるが、ここでは簡略して一枚のレンズのみで示している。シャッター１０１、１０２は、撮影時に露光量を制御するシャッター機構である。撮像部２１、２２は、光学像を電気信号に変換するＣＣＤやＣＭＯＳ素子等で構成される撮像素子である。画像処理部２４は、撮像部２１、２２からのデータ、又は、メモリ制御部１５からのデータに対し所定の画素補間、縮小、反転といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＡＦ処理、ＡＥ処理が行われる。画像処理部２４では更に、撮像した画像データを用いて所定の演算処理を行い、得られた演算結果に基づいてＡＷＢ処理も行っている。
【００６２】
撮像部２１、２２からの出力データは、画像処理部２４及びメモリ制御部１５を介して、或いは、メモリ制御部１５を介してメモリ３２に直接書き込まれる。メモリ３２は、撮像部２１、２２によって得られた画像データや、表示部２８に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。
【００６３】
メモリ３２に格納されている画像表示用のデータは表示部２８に供給される。よって、メモリ３２に書き込まれた表示用の画像データは表示部２８により表示することができる。表示部２８は、ＬＣＤ等の表示器上に表示を行う。撮像部２１、２２より得られる画像信号をメモリ３２に蓄積し表示部２８に逐次転送することにより表示することで、電子ビューファインダとして機能し、スルー画像表示（ライブビュー表示）を行える。なお、画像処理部２４は、対面カメラ１２より得られる撮像画像については、表示部２８に表示する際には常に左右反転表示（鏡像表示）とするよう画像処理を行う。これにより、操作性が向上する。
【００６４】
表示信号生成部３１１は、表示に用いるアイコン等のキャラクタデータ画像をあらかじめ備えている。表示信号生成部３１１に備える表示用キャラクタデータ画像をメモリ３２に書き込むことにより、表示部２８にキャラクタデータ画像を表示することができる。不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。システム制御部５０は、スマートフォン９００全体を制御する。前述した不揮発性メモリ５６に記録されたプログラムを実行することで、後述する本実施形態の各処理を実現する。
【００６５】
５２はシステムメモリであり、ＲＡＭが用いられる。システムメモリ５２には、システム制御部５０の動作用の定数、変数、不揮発性メモリ５６から読み出したプログラム等を展開する。システム制御部５０は通話機能の一部として送受信部９９９を制御する。送受信部９９９については本発明には直接関係無きことから、その説明を省略する。また、システム制御部５０はメモリ３２、表示部２８、表示信号生成部３１１等を制御することにより表示制御も行う。システムタイマー５３は各種制御に用いる時間や、内蔵された時計の時間を計測する計時部である。
【００６６】
操作部７０はシステム制御部５０に各種の動作指示を入力するための操作手段である。操作部７０はタッチパネルを用いた入力デバイスで、モード切替スイッチ６０、シャッターボタン６１、カメラ選択スイッチ６９を含んでいる。モード切替スイッチ６０は、システム制御部５０の動作モードを静止画記録モード、動画記録モード、再生モード等のいずれかに切り替える。操作部７０の各操作部材は、表示部２８に表示される種々の機能アイコンを選択操作すること等により、場面毎に適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。
【００６７】
カメラ選択スイッチ６９はスマートフォン９００の正面に備えられたフロントカメラ１３の撮像画像を撮影用カメラ画像として選択するか、あるいは背面に備えられた対面カメラ１２の撮像画像を撮影用カメラ画像として選択するかを切り替える操作部である。シャッターボタン６１が押下されると、システム制御部５０は、カメラ選択スイッチ６９にて選択された撮像部２１，２２からの撮影画像を、信号読み出しから記録媒体２００に画像データを書き込むまでの一連の撮影処理の動作を開始する。
【００６８】
スピーカ８２は電話機能による通話時の音声出力以外にも、シャッターボタン６１の操作による撮影が行われた際に、ユーザに撮影を行ったことを通知する撮影音を出力する。また、操作部７０の操作が行われた際にボタン操作を受け付けたことを音声にて通知する。音声生成部３０２は通知する音声データを備え、システム制御部５０からの制御により選択された通知する音声を用いスピーカ８２を駆動する。加算器３０３は音声生成部３０２及び送受信部９９９より出力されるスピーカ８２を駆動するそれぞれの音声信号を加算する加算回路である。
【００６９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。加速度センサ３０１は、スマートフォン９００内部に固定され、加速度の検出方向となる検出軸は撮像部２１の水平画素配列方向を回転中心としスマートフォン９００を回転させたときの重力方向変化を検出可能な向きに固定されている。加速度センサ３０１は、重力加速度を検出することによって、デジタルカメラ１００の光軸方向の傾きを求めることが可能であるため、デジタルカメラ１００の水準を検出し、表示部２８に表示することもできる。
【００７０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、内蔵メモリやメモリカード等の記録媒体２００とのインターフェースである。記録媒体２００は、撮影された画像を記録するための内蔵メモリやメモリカード等の記録媒体であり、半導体メモリにて構成される。
【００７１】
図１１は、スマートフォン９００のシステム制御部５０による、通知制御処理を示すフローチャートである。このフローチャートにおける各処理は、システム制御部５０が不揮発性メモリ５６に格納されたプログラムをシステムメモリ５２に展開して実行することにより実現される。通知制御処理は、システムタイマー５３により発生する動作周期により繰り返し行われる。
【００７２】
Ｓ１１０１において、システム制御部５０は、カメラ選択スイッチ６９の操作によって選択されたカメラを示す選択カメラ情報を取得する。ユーザがカメラ選択スイッチ６９を押下する毎に選択するカメラを、対面カメラ１２とフロントカメラ１３とで交互にトグル切り替え制御する。Ｓ１１０２において、システム制御部５０は、Ｓ１１０１で取得した選択カメラ情報に示されるカメラがいずれのカメラであるかを判定する。システム制御部５０は、対面カメラ１２の場合には（Ｓ１１０２で対面カメラ）、処理をＳ１１０４へ進める。システム制御部５０は、フロントカメラ１３の場合には（Ｓ１１０２でフロントカメラ）、処理を１１０３へ進める。Ｓ１１０３において、システム制御部５０は、撮影に用いるカメラをフロントカメラ１３とし、フロントカメラ１３から得られる撮影画像、すなわち主フロントカメラ画像を選択し、これを画像処理部２４へ送る。
【００７３】
Ｓ１１０４において、システム制御部５０は、撮影に用いるカメラを対面カメラ１２とし、対面カメラ１２から得られる撮影画像、すなわち対面カメラ画像を選択し、これを画像処理部２４へ送る。次に、Ｓ１１０５において、システム制御部５０は、対面カメラ１２より得られる撮撮影画像から顔画像を検出する。次に、Ｓ１１０６において、システム制御部５０は、Ｓ１１０５おける顔画像の検出結果に基づいて、自分撮りが行われようとしているか否かを判定する。システム制御部５０は、例えば、顔検出結果より撮像画像に含まれている顔の数が１つのみである場合に自分撮りが行われようとしていると判定する。
【００７４】
また、他の例としては、システム制御部５０は、撮像画に占める顔のサイズが所定の範囲である場合に自分撮りが行われようとしていると判定してもよい。この場合の顔のサイズについては、撮影者がスマートフォン９００を持った状態で腕を伸ばして、対面カメラ１２を撮影者自身に向けた際に撮像される顔サイズに近いもので有ればよい。なお、自分撮りが行われようとしていると判定するための条件は、実施形態に限定されるものではない。また、本条件は、予め不揮発性メモリ５６に設定されているものとする。
【００７５】
システム制御部５０は、自分撮りと判定すると（Ｓ１１０６でＹｅｓ）、処理をＳ１１０７へ進める。システム制御部５０は、自分撮りでないと判定すると（Ｓ１１０６でＮｏ）、通知制御処理を終了する。Ｓ１１０７において、システム制御部５０は、加速度センサ３０１からスマートフォン９００の傾き情報を取得する。次に、Ｓ１１０８において、システム制御部５０は、スマートフォン９００の傾きが適正角度であるか否かを判定する。システム制御部５０は、スマートフォン９００の傾きが適正角度である場合には（Ｓ１１０８でＹｅｓ）、処理をＳ１１０９へ進める。システム制御部５０は、スマートフォン９００の傾きが適正角度でない場合には（Ｓ１１０８でＮｏ）、処理をＳ１１１０へ進める。
【００７６】
Ｓ１１０９において、システム制御部５０は、スマートフォン９００の傾きが適正角度であることをユーザに通知し、その後処理をＳ１１１へ進める。Ｓ１１１０において、システム制御部５０は、スマートフォン９００の傾きが適正角度でないことをユーザに通知し、通知制御処理を終了する。なお、Ｓ１１０９及びＳ１１１０の処理は、それぞれ図５を参照しつつ説明したＳ５１５及びＳ５１６の処理と同様である。
【００７７】
Ｓ１１１１において、システム制御部５０は、シャッターボタンが押下されているか否かを判定する。システム制御部５０は、シャッターボタンが押下されている場合には（Ｓ１１１１でＹｅｓ）、処理をＳ１１１２へ進める。システム制御部５０は、シャッターボタンが押下されていない場合には（Ｓ１１１１でＮｏ）、通知制御処理を終了する。Ｓ１１１２において、システム制御部５０は、静止画を記録する。以上で、通知制御処理が終了する。なお、第３の実施形態に係るスマートフォン９００のこれ以外の構成及び処理は、他の実施形態に係るデジタルカメラ１００，１１０の構成及び処理と同様である。
【００７８】
以上のように、第３の実施形態に係るスマートフォン９００は、ユーザにより対面カメラ１２が選択され、顔検出結果から自分撮りと判定された場合に、自動的に自分撮りモードに移行することができる。
【００７９】
なお、本実施形態に係るデジタルカメラ１００の制御部の制御は、１つのハードウェアが行ってもよいし、複数のハードウェアが処理を分担することで、装置全体の制御を行ってもよい。
【００８０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８１】
また、上述した実施形態においては、本発明を撮像装置としてのカメラに適用した場合を例にして説明したが、これはこの例に限定されず撮像手段と、表示手段とを有する撮像装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー等に適用可能である。
【００８２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８３】
以上、上述した各実施形態によれば、簡単な操作で適切なアングルでの撮影を可能とすることができる。
【００８４】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００８５】
２８  表示部
５０  システム制御部
１００  デジタルカメラ
【図１】
0006590630.tif 000002
【図２】
0006590630.tif 000003
【図３】
0006590630.tif 000004
【図４】
0006590630.tif 000005
【図５】
0006590630.tif 000006
【図６】
0006590630.tif 000007
【図７】
0006590630.tif 000008
【図８】
0006590630.tif 000009
【図９】
0006590630.tif 000010
【図１０】
0006590630.tif 000011
【図１１】
0006590630.tif 000012